(57)【要約】【課題】特にペットボトルを再利用することにより、環境に優しい水電池を設置した照明装置を提供する。【解決手段】開口端を有するボトルと、前記ボトルの開口端に取り付けられ、基板及び該基板の上面に取り付けられる発光素子を有する発光モジュールを備えるキャップと、前記ボトルとキャップとの間に設置され、上端が導電ユニットを介して基板と電気接続されると共に、下端が該ボトルの内部に位置する水電池とを有するキャップとボトルとの間に水電池を設置した照明装置を提供する。【選択図】図２
0003178074.tif 000002
【実用新案登録請求の範囲】
【請求項１】
開口端を有するボトルと、
前記ボトルの開口端に取り付けられ、基板及び該基板の上面に取り付けられる発光素子を有する発光モジュールを備えるキャップと、
前記ボトルとキャップとの間に設置され、上端が導電ユニットを介して基板と電気接続されると共に、下端が該ボトルの内部に位置する水電池と、を有することを特徴とするキャップとボトルとの間に水電池を設置した照明装置。
【請求項２】
前記ボトルの開口端に取り付けられ、前記水電池の数量と対応する少なくとも１つのチューブを有し、該チューブに該水電池が挿設される下蓋と、
前記下蓋に取り付けられ、内部に前記発光モジュールが設置される介在蓋とを有することを特徴とする請求項１に記載のキャップとボトルとの間に水電池を設置した照明装置。
【請求項３】
前記基板の上面にスイッチ及び発光素子が設置され、該スイッチに発光素子の点滅を制御する切り替え部材が設けられ、
前記介在蓋に上蓋が取り付けられ、該上蓋に発光素子と対応する照射孔が形成されると共に、介在蓋に対して回転することによって、スイッチの切り替え部材を切り替えて発光素子の点滅を制御する第一押圧部及び第二押圧部が下方に向かって延設されることを特徴とする請求項２に記載のキャップとボトルとの間に水電池を設置した照明装置。
【請求項４】
前記介在蓋は、介在リングを備え、該介在リングの外面の上縁部近傍に間隔をおいて複数の位置決め凹部が形成され、該各位置決め凹部は、縦溝部と、該縦溝部の下端と連通する横溝部とを備え、該横溝部の一端に第一側が、他端に第二側が形成され、
前記上蓋は、上リングを備え、該上リングの内面下端に間隔をおいて径方向に向かって複数の位置決め凸部が凸設され、該位置決め凸部がそれぞれ介在蓋の位置決め凹部の縦溝部に位置し、該上蓋が介在蓋に対して回転することによって、該各位置決め凸部が横溝部の第一側と第二側との間に移動し、前記第一押圧部または第二押圧部によりスイッチの切り替え部材を切り替えることを特徴とする請求項３に記載のキャップとボトルとの間に水電池を設置した照明装置。
【請求項５】
前記介在蓋の少なくとも１つの位置決め凹部における横溝部の第一側及び第二側の上壁面にそれぞれ、第一凹部及び第二凹部が凹設され、
前記上蓋の少なくとも１つの位置決め凸部の上面に係合凸部が凸設され、
その上蓋の位置決め凸部における係合凸部を、介在蓋の位置決め凹部における第一凹部又は第二凹部に係合することによって、該上蓋を介在蓋に位置決め固定することを特徴とする請求項４に記載のキャップとボトルとの間に水電池を設置した照明装置。
【請求項６】
前記下蓋は、下リングを備え、該下リングの上縁部近傍に間隔をおいて複数の係合孔が形成され、
前記介在蓋の介在リングにおける内面の下縁部近傍に間隔をおいて複数の凸部が凸設され、該凸部が下蓋の係合孔と対応するように係合されることを特徴とする請求項５に記載のキャップとボトルとの間に水電池を設置した照明装置。
【請求項７】
前記キャップは、前記上蓋の内部に位置するレンズを有し、該レンズは、上端に位置決め盤が設けられると共に、下端に収容孔が形成され、その内、該位置決め盤の外周縁は、上蓋の照射孔の内縁部に固定され、該収容孔に発光素子が収容されることを特徴とする請求項３乃至６のいずれか１項に記載のキャップとボトルとの間に水電池を設置した照明装置。
【請求項８】
前記ボトルの開口端の外周面にねじ山が形成されると共に、前記下蓋の下リングの内面にねじ山が形成され、該ねじ山がボトルのねじ山に螺合されることを特徴とする請求項６に記載のキャップとボトルとの間に水電池を設置した照明装置。
【請求項９】
前記発光モジュールにおける発光素子が発光ダイオードであることを特徴とする請求項１乃至６の何れか１項に記載のキャップとボトルとの間に水電池を設置した照明装置。
【請求項１０】
前記水電池は、マグネシウム合金チューブと、該マグネシウム合金チューブの内壁に設置される隔離紙層と、該マグネシウム合金チューブの上端に設けられる銅ヘッドと、下端に設置される吸収シール及び固定リングと、該銅ヘッドに取り付けられるように、該マグネシウム合金チューブの内部に挿設されるカーボンロッドと、該マグネシウム合金チューブの内部に充填される活性炭とを有することを特徴とする請求項１乃至６の何れか１項に記載のキャップとボトルとの間に水電池を設置した照明装置。
【考案の詳細な説明】
【技術分野】
【０００１】
本考案は、ペットボトルを再利用し、キャップとボトルとの間に水電池を設置した照明装置に関するものである。
【背景技術】
【０００２】
プラスチック容器（例えば、ペットボトル）は、液体用容器であり、軽くて丈夫で柔軟性や耐酸性及び耐アルカリ性を備え、通気性が低く、製造コストが安くて外観が綺麗な容器であることから、飲料用容器として広まっており、さらに、それらペットボトル飲料は、持ち運びやすいなどのメリットを有するので、ペットボトルが大量に生産されている。
【０００３】
上述したように、ペットボトルは確かに様々なメリットを備えるが、一度使用すると、かさばるゴミになってしまうという問題があり、また、ペットボトルは、自然分解できなく、焼却すると有毒ガスが発生し、埋め立てにも問題があることから、リサイクル可能となれば、ゴミの問題を部分的に解決できるので、環境保護に対して寄与することができる。
【考案の概要】
【考案が解決しようとする課題】
【０００４】
このように、ペットボトルは、液体用容器として大量に生産され、人間に利便性を提供できるが、一度使用すると、かさばるゴミとなり、リサイクルできなければ、地球の環境に悪影響を与えるとの問題があった。
【課題を解決するための手段】
【０００５】
本考案に係るキャップとボトルとの間に水電池を設置する照明装置は、開口端を有するボトルと、
前記ボトルの開口端に取り付けられ、基板及び該基板の上面に取り付けられる発光素子を有する発光モジュールを備えるキャップと、
前記ボトルとキャップとの間に設置され、上端が導電ユニットを介して基板と電気接続されると共に、下端が該ボトルの内部に位置する水電池と、を有するものである。
【０００６】
前記ボトルの開口端に取り付けられ、前記水電池の数量と対応する少なくとも１つのチューブを有し、該チューブに該水電池が挿設される下蓋と、
前記下蓋に取り付けられ、内部に前記発光モジュールが設置される介在蓋とを有することが好ましい。
【０００７】
前記基板の上面にスイッチ及び発光素子が設置され、該スイッチに発光素子の点滅を制御する切り替え部材が設けられ、
前記介在蓋に上蓋が取り付けられ、該上蓋に発光素子と対応する照射孔が形成されると共に、介在蓋に対して回転することによって、スイッチの切り替え部材を切り替えて発光素子の点滅を制御する第一押圧部及び第二押圧部が下方に向かって延設されることが好ましい。
【０００８】
前記介在蓋は、介在リングを備え、該介在リングの外面の上縁部近傍に間隔をおいて複数の位置決め凹部が形成され、該各位置決め凹部は、縦溝部と、該縦溝部の下端と連通する横溝部とを備え、該横溝部の一端に第一側が、他端に第二側が形成され、
前記上蓋は、上リングを備え、該上リングの内面下端に間隔をおいて径方向に向かって複数の位置決め凸部が凸設され、該位置決め凸部がそれぞれ介在蓋の位置決め凹部の縦溝部に位置し、該上蓋が介在蓋に対して回転することによって、該各位置決め凸部が横溝部の第一側と第二側との間に移動し、前記第一押圧部または第二押圧部によりスイッチの切り替え部材を切り替えることが好ましい。
【０００９】
前記介在蓋の少なくとも１つの位置決め凹部における横溝部の第一側及び第二側の上壁面にそれぞれ、第一凹部及び第二凹部が凹設され、
前記上蓋の少なくとも１つの位置決め凸部の上面に係合凸部が凸設され、
その上蓋の位置決め凸部における係合凸部を、介在蓋の位置決め凹部における第一凹部又は第二凹部に係合することによって、該上蓋を介在蓋に位置決め固定することが好ましい。
【００１０】
前記下蓋は、下リングを備え、該下リングの上縁部近傍に間隔をおいて複数の係合孔が形成され、
前記介在蓋の介在リングにおける内面の下縁部近傍に間隔をおいて複数の凸部が凸設され、該凸部が下蓋の係合孔と対応するように係合されることが好ましい。
【００１１】
前記キャップは、前記上蓋の内部に位置するレンズを有し、該レンズは、上端に位置決め盤が設けられると共に、下端に収容孔が形成され、その内、該位置決め盤の外周縁は、上蓋の照射孔の内縁部に固定され、該収容孔に発光素子が収容されることが好ましい。
【００１２】
前記ボトルの開口端の外周面にねじ山が形成されると共に、前記下蓋の下リングの内面にねじ山が形成され、該ねじ山がボトルのねじ山に螺合されることが好ましい。
【００１３】
前記発光モジュールにおける発光素子が発光ダイオードであってもよい。
【００１４】
前記水電池は、マグネシウム合金チューブと、該マグネシウム合金チューブの内壁に設置される隔離紙層と、該マグネシウム合金チューブの上端に設けられる銅ヘッドと、下端に設置される吸収シール及び固定リングと、該銅ヘッドに取り付けられるように、該マグネシウム合金チューブの内部に挿設されるカーボンロッドと、該マグネシウム合金チューブの内部に充填される活性炭とを有することが好ましい。
【考案の効果】
【００１５】
本考案に係るキャップとボトルとの間に水電池を設置した照明装置は、上述した構造を有するので、使用済みペットボトルの内部に水を充填して水電池７０の下端を浸漬させると、水電池７０の成分が化学反応を起して電力を発生して発光素子４２を発光させることができるとともに、ペットボトルの内部の水が足りない場合には、水を補充すれば水電池７０が再び発電することができるので、使用上、非常に簡単であり、且つ環境に優しい照明装置を提供することができる。
【図面の簡単な説明】
【００１６】
【図１】本考案に係るキャップとボトルとの間に水電池を設置した照明装置の第一実施例の斜視図である。
【図２】本考案に係るキャップとボトルとの間に水電池を設置した照明装置の第一実施例の部分分解斜視図である。
【図３】本考案に係るキャップとボトルとの間に水電池を設置した照明装置の第一実施例の部分拡大断面図である。
【図４】本考案に係るキャップとボトルとの間に水電池を設置した照明装置の第一実施例における介在蓋及び上蓋の拡大断面図である。
【図５】本考案に係るキャップとボトルとの間に水電池を設置した照明装置の第一実施例における上視断面図である。
【図６】本考案に係るキャップとボトルとの間に水電池を設置した照明装置の第一実施例の上視断面図である。
【図７】本考案に係るキャップとボトルとの間に水電池を設置した照明装置の第二実施例の分解斜視図である。
【図８】本考案に係るキャップとボトルとの間に水電池を設置した照明装置の第二実施例の部分拡大断面図である。
【考案を実施するための形態】
【００１７】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００１８】
図１乃至図３に示すように、本考案に係るキャップとボトルとの間に水電池を設置した照明装置は、ボトル１０と、キャップと、水電池７０とを有し、その内、該ボトル１０は、液体を収容可能なペットボトルであり、開口端及び閉鎖端を備え、該開口端の外周面にねじ山１１が形成される。
【００１９】
前記キャップは、下蓋２０と、介在蓋３０と、発光モジュール４０と、上蓋５０と、レンズ６０とを有し、その内、該下蓋２０は、ボトル１０の開口端に取り付けられ、下リング２１を備え、該下リング２１の上部内面に上プレート２２が設けられ、該上プレート２２に少なくとも１つのチューブ２３が設けられ、該下リング２１の上縁部近傍に間隔をおいて複数の係合孔２４が形成されると共に、内面に、ボトル１０のねじ山１１に螺合されるねじ山２５が形成される。
【００２０】
前記介在蓋３０は、下蓋２０に取り付けられ、介在リング３１を備え、該介在リング３１の下部内面に下プレート３２が設けられると共に、内面の下縁部近傍に間隔をおいて複数の凸部３３が凸設され、更に、外面の上縁部近傍に間隔をおいて複数の位置決め凹部３４が凹設され、該各位置決め凹部３４は、逆Ｔ字形を呈し、縦溝部３４１と、該縦溝部３４１の下端と連通する横溝部３４２とを備え、該横溝部３４２の一端に第一側３４２１が、他端に第二側３４２１’が形成される。なお、前記介在蓋３０は、の凸部３３を下蓋２０の係合孔２４と対応するように係合することにより下蓋２０に取り付ける。
【００２１】
前記発光モジュール４０は、基板４１の上面中央に、発光ダイオード（ｌｉｇｈｔ  ｅｍｉｔｔｉｎｇ  ｄｉｏｄｅ，  ＬＥＤ）である発光素子４２が取り付けられると共に、上面の周縁近傍にスイッチ４３が設置され、該スイッチ４３に発光素子４２の点滅を制御する切り替え部材４３１が設けられ、該基板４１を介在蓋３０の下プレート３２の上面に取り付けることによって、該発光モジュール４０を介在蓋３０の内部に装着する。また、その発光モジュール４０の基板４１に複数の貫通孔４１１が形成されると共に、前記介在蓋３０の下プレート３２の上面に複数のタブ３２１が凸設され、該タブ３２１がそれぞれ貫通孔４１１に挿設されることにより、発光モジュール４０を介在蓋３０に位置決め固定する。
【００２２】
前記上蓋５０は、介在蓋３０に取り付けられ、上リング５１を備え、該上リング５１の上部内面に上プレート５２が設けられ、該上プレート５２の中央に照射孔５３が形成され、該照射孔５３の底面周囲に下方に向かって第一押圧部５４及び第二押圧部５５が突設され、更に、該上リング５１の内部下端に間隔をおいて径方向に向かって複数の位置決め凸部５６が凸設される。この構成によれば、前記上蓋５０の位置決め凸部５６がそれぞれ介在蓋３０の位置決め凹部３４の縦溝部３４１と対応するように縦溝部３４１の下端に位置することから、上蓋５０を介在蓋３０に対して回転させると、位置決め凸部５６が横溝部３４２の第一側３４２１と第二側３４２１’との間に移動して第一側３４２１又は第二側３４２１’に当接されるので、照射孔５３が発光モジュール４０の発光素子４２と対応するように、上蓋５０を介在蓋３０の上部に取り付けられる。
【００２３】
図４に示すように、本考案の第一実施例においては、介在蓋３０の少なくとも１つの位置決め凹部３４における横溝部３４２の第一側３４２１及び第二側３４２１’の上壁面にそれぞれ、第一凹部３４２２及び第二凹部３４２２’が凹設され、前記上蓋５０の少なくとも１つの位置決め凸部５６の上面に係合凸部５６１が凸設され、その上蓋５０の位置決め凸部５６の係合凸部５６１を介在蓋３０の位置決め凹部３４の第一凹部３４２２又は第二凹部３４２２’に係合することによって、上蓋５０を介在蓋３０に位置決め固定する。
【００２４】
図５及び図６に示すように、上蓋５０を介在蓋３０に対して回転させると、上蓋５０の位置決め凸部５６が介在蓋３０の位置決め凹部３４の横溝部３４２の第一側３４２１または第二側３４２１’に移動すると共に、位置決め凸部５６の係合凸部５６１が位置決め凹部３４の第一凹部３４２２または第二凹部３４２２’に係合する。この構成によれば、上蓋５０の第一押圧部５４または第二押圧部５５によりスイッチ４３の切り替え部材４３１を押圧して切り替えることにより、発光素子４２の点滅を制御することができる。
【００２５】
図２及び図３に示すように、前記レンズ６０は、外径が上端から下端に向かって徐々に縮径する略逆円錐状を呈し、その上端に位置決め盤６１が設けられると共に、下端に収容孔６２が形成されるものであり、上蓋５０の内部に位置し、該位置決め盤６１の外周縁が上蓋５０の照射孔５３の内縁部に固定され、該収容孔６２に発光素子４２が収容される。
【００２６】
前記水電池７０は、ボトル１０とキャップとの間に設置され、下蓋２０のチューブ２３の数量と対応し、その上端は、導電ユニット８０を介して基板４１と電気接続されることにより発光素子４２に給電し、下端は、ボトル１０の内部に位置する。
【００２７】
また、図２及び図３に示すように、本考案の第一実施例においては、１つの水電池７０を備え、下蓋２０に１つのチューブ２３が設けられ、該チューブ２３に水電池７０が挿設される。一方、図７及び図８に示すように、本考案の第二実施例においては、２つの水電池７０Ａを備え、下蓋２０Ａに２つのチューブ２３Ａが設けられ、それら水電池７０Ａをそれぞれチューブ２３Ａに貫設する。
【００２８】
前記水電池７０は、環境にやさしいバッデリーであり、マグネシウム合金チューブ７１と、該マグネシウム合金チューブ７１の内壁に設置される隔離紙層７１１と、該マグネシウム合金チューブ７１の上端に設けられる銅ヘッド７２と、下端に設置される吸収シール７３及び固定リング７４と、該銅ヘッド７２に取り付けられるように、該マグネシウム合金チューブ７１の内部に挿設されるカーボンロッド７５と、該マグネシウム合金チューブ７１の内部に充填される活性炭７６とを有する。尚、前記水電池７０は既存の技術であることから、詳細な説明は省略する。
【００２９】
本考案に係る、キャップとボトルとの間に水電池を設置した照明装置を使用する時は、水電池７０の下端に達するまでボトル１０の内部に水を充填し、水が固定リング７４から吸収シール７３を介して活性炭７６に浸透すると、水電池７０の成分が化学反応を起して電力を発生して発光素子４２への給電が可能となる。この構成によれば、ボトル１０を再利用できるので、環境にやさしい照明装置を提供することができる。
【産業上の利用可能性】
【００３０】
本考案は上記の構成を有し、ペットボトルを再利用し、そのボトルの内部に水を充填して水電池７０の下端を浸漬させると、水電池７０の成分が化学反応を起して電力を発生して発光素子４２へ給電を行うことができる。
【符号の説明】
【００３１】
１０  ボトル
１１  ねじ山
２０、２０Ａ  下蓋
２１  下リング
２２  上プレート
２３、２３Ａ  チューブ
２４  係合孔
２５  ねじ山
３０  介在蓋
３１  介在リング
３２  下プレート
３２１  タブ
３３  凸部
３４  位置決め凹部
３４１  縦溝部
３４２  横溝部
３４２１  第一側
３４２１’  第二側
３４２２  第一凹部
３４２２’  第二凹部
４０  発光モジュール
４１  基板
４１１  貫通孔
４２  発光素子
４３  スイッチ
４３１  切り替え部材
５０  上蓋
５１  上リング
５２  上プレート
５３  照射孔
５４  第一押圧部
５５  第二押圧部
５６  位置決め凸部
５６１  係合凸部
６０  レンズ
６１  位置決め盤
６２  収容孔
７０、７０Ａ  水電池
７１  マグネシウム合金チューブ
７１１  隔離紙層
７２  銅ヘッド
７３  吸収シール
７４  固定リング
７５  カーボンロッド
７６  活性炭
８０  導電ユニット
【図１】
0003178074.tif 000003
【図２】
0003178074.tif 000004
【図３】
0003178074.tif 000005
【図４】
0003178074.tif 000006
【図５】
0003178074.tif 000007
【図６】
0003178074.tif 000008
【図７】
0003178074.tif 000009
【図８】
0003178074.tif 000010